(57)【要約】【課題】容積が小さく積み重ねて安定した格納ができ、かつ、搬送時の梱包が簡便な木製ベンチを提供する。【解決手段】  本考案は、複数人が横に着席できる背凭れのない木製ベンチであり、長方形のシート２の両端にシート２の幅と同じ幅の垂直な脚３が丸みを持たせる端継材４を介して固設されている。そして、シート２の裏面に脚３と連結する連結部材５を固設し、格納時に脚３同士を向かい合う方向で組み合わせたとき、連結部材５に嵌合する嵌合溝３ａを脚３の下端から垂直に設けられている。格納時は、脚３同士が向かい合う方向で組み合わせて積み重ねる。このとき、連結部材５を嵌合溝３ａに嵌合させるとともに係止材５ａによって長手方向に移動しないようにしている。【選択図】  図３
0003128935.tif 000002
【実用新案登録請求の範囲】
【請求項１】
複数人が横に着席できる背凭れのない木製ベンチにおいて、長方形のシートの両端にシートの幅と同じ幅の垂直な脚を固設するとともに、該シートの裏面に該脚と連結する連結部材を固設し、格納時に該脚同士を向かい合う方向で組み合わせたとき、該連結部材に嵌合する嵌合溝を該脚の下端から垂直に設けたことを特徴とする木製ベンチ。
【請求項２】
前記シートと前記脚とを断面扇形の形状を有する端継材を介して固設したことを特徴とする請求項１記載の木製ベンチ。
【請求項３】
前記シートは平板状であり、前記連結部材は前記シートの裏面の幅方向中央部に長手方向全長にわたって固設し、前記嵌合溝は前記脚の幅方向中央部に設けたことを特徴とする請求項１または請求項２記載の木製ベンチ。
【請求項４】
前記連結部材には、それぞれ端部から脚の厚さ分離れた位置に係止材を固設し、格納時に該脚同士を向かい合う方向で組み合わせたとき長手方向に移動しないようにしたことを特徴とする請求項１ないし請求項３のいずれかに記載の木製ベンチ。
【考案の詳細な説明】
【技術分野】
【０００１】
本考案は、複数人が並んで腰掛けられる背凭れのないベンチに関するものである。
【背景技術】
【０００２】
長方形の板状のシートの両端寄りの下面に脚部材を固設し、店先や縁側に置かれる縁台と称される木製の背凭れのないベンチが古くから知られている。また、近年は、屋内のロビーや通路にデザインされたベンチが置かれることが少なくない。
【０００３】
一般にベンチは、格納することは考慮されておらず、使用しない場合は、脚部を上向きにして別のベンチの上に積み重ねている。脚部を下にして下段のベンチの上に上段のベンチの脚部材が乗るようにして積み上げることはできるが、各段の高さが１台のベンチの高さになるので嵩張り、崩れ易い。
【０００４】
そこで、積み重ねて格納できるベンチが開発されている（例えば、特許文献１）。
このベンチは、シートの左右両側面にアーチ形状の鉄製の脚部材を固定し、この脚部材の上端部にスタッキング部材を備えている。積む際には、上段ベンチのスタッキング部材の下面が下段ベンチのスタッキング部材上に跨がった状態になり、最小体積で複数段に積み重ねて格納できる。
【０００５】
【特許文献１】特開平１１−１４６８１８
【考案の開示】
【考案が解決しようとする課題】
【０００６】
特許文献１のベンチは、簡便に安定した状態に格納できるが、デザインが固定されてしまうので、採用できない場合が少なくない。また、少数を搬送する場合には、嵩張るという難点がある。なお、脚を脱着可能とすれば解決できるが、組立、分解が煩わしい。
【０００７】
そこで、本考案は、容積が小さく積み重ねて安定した格納ができ、かつ、搬送時の梱包が簡便な木製ベンチを提供することを目的としている。
【課題を解決するための手段】
【０００８】
本考案の木製ベンチは、上記の目的を達成するため次の手段を採った。すなわち、複数人が横に着席できる背凭れのない木製ベンチにおいて、長方形のシートの両端にシートの幅と同じ幅の垂直な脚を固設するとともに、該シートの裏面に該脚と連結する連結部材を固設し、格納時に該脚同士を向かい合う方向で組み合わせたとき、該連結部材に嵌合する嵌合溝を該脚の下端から垂直に設けたことを特徴としている。
【０００９】
シートは、平板状のものに限られない。例えば、長方形状の枠に長手方向に間隔を明けて桟を固設したり、竹など弾力性のあるものを固設したものでもよい。
脚は、シートの両端に固設するが、シートの両端部を大きな曲面（半径１０ｍｍ以上）とする場合は、請求項２に記載のように、シートと脚とを断面扇形の形状を有する端継材を介して固設するとよい。なお、端継材は脚から切り出して形成してもよい。また、脚の中央部はデザイン的に切抜などを施してもよい。
【００１０】
連結部材は、シートの両端部の脚部付近にそれぞれ設けてもよいが、請求項３に記載のように、脚から脚まで、すなわち、シートの全長にわたるものとするのが望ましい。
また、連結部材は、請求項３に記載のように、シートの幅方向の中央部に一個設けるだけでよいが、場合によっては複数設けてもよい。なお、この場合は、溝部も複数となる。
この木製ベンチは、搬送する場合や使用しないときに脚同士を対向させて組み合わせて格納するが、請求項４に記載のように、連結部材には、それぞれ端部から脚の厚さ分離れた位置に係止材を固設し、長手方向に移動しないようにするとよい。
【考案の効果】
【００１１】
本考案の木製ベンチは、長方形のシートの両端にシートの幅と同じ幅の垂直な脚を固設するとともに、該シートの裏面に該脚と連結する連結部材を固設し、格納時に該脚同士を向かい合う方向で組み合わせたとき、該連結部材に嵌合する嵌合溝を該脚の下端から垂直に設けたので、容積を小さくして積み重ねができ、簡便に格納できる。また、搬送する場合は、２個一組としてほぼ直方体状に梱包できる。
【００１２】
また、請求項２に記載のように、シートと脚とを断面扇形の形状を有する端継材を介して固設すれば、誤って脛を当てることがあったとしても、角ではないので安全である。
また、請求項３に記載のように、シートは平板状で連結部材はシートの裏面の幅方向中央部に長手方向全長にわたって固設し、嵌合溝は脚の幅方向中央部に設ければ、簡素で、安価に製造でき、デザイン的にも優れたものにできる。
【考案を実施するための最良の形態】
【００１３】
本考案の木製ベンチの実施の形態を、図１〜図６に基づいて以下に具体的に説明する。
図１は、本考案の木製ベンチの実施の形態を示す斜視図で、図２は裏返しにした状態を示す斜視図である。
木製ベンチ１は、シート２と、脚３と、シート２と脚３を連結する端継材４および連結部材５とから構成され、全体を伏コ字状の形状に形成している。
シート２は、幅４８０ｍｍ、長さ１５５０ｍｍ、厚さ３０ｍｍの矩形状の平板であり、脚３は、幅４８０ｍｍ、高さ４００ｍｍ、厚さ３０ｍｍの平板である。
脚３の幅方向中央部には垂直に高さ１５０ｍｍ、幅５０ｍｍの嵌合溝３ａが設けられている。また、底部には床面に凹凸等があってもガタつかないようにするためのアジャスタ６が貼着されている。アジャスタ６は、合成樹脂製で脚３の底にネジ込まれており、回転させて高さを変更できる。
【００１４】
端継材４は、シート２の両端部を曲面に形成するために固設される部材であり、外側が半径２０ｍｍの曲面を有する断面扇形の形状である。なお、図２（ｂ）に示すように、脚３を厚さｔのものから切り出して形成し、端継材４を脚３と一体としてもよい。
連結部材５は高さ１５０ｍｍ、厚さ３０ｍｍで、シート２の裏面の幅方向中央部に、長手方向全長にわたって固設され、両端部は脚３に固着されている。
そして、連結部材５の両端寄りには格納した時長手方向へ移動しないようにするための係止材５ａが固設されている。また、木製ベンチ１を裏返しにした状態で持ち上げるときのために把持孔５ｂが左右に２個所設けられている。
【００１５】
脚３は図６（ａ）に示すように、嵌合溝３ａのみでもよいが、（ｂ）〜（ｅ）に示すように、嵌合溝３ａの上部を菱形、丸、四角などに切抜部３ｂ、３ｃ、３ｄ、３ｅを設けるとデザイン的に好ましいものにできる。
【００１６】
本考案の木製ベンチ１は上記のように構成されているので、使用するときは従来と同様に適宜の場所に設置する。脚３の底にはアジャスタ６が付いているので、多少床面に凹凸があってもガタつかないように設置できる。また、木製であるので、種々の場所でデザイン的にマッチしやすい。
格納する場合は、図３に示すように、互いに脚３が向かい合う方向で互いの脚３が接するように組み合わせる。このとき、上側の木製ベンチ１の左脚３の嵌合溝３ａに下側の木製ベンチ１の連結部材５が嵌合している。そして、下側の木製ベンチ１の右側の脚３の嵌合溝３ａに上側の連結部材５が嵌合している。また、下側の木製ベンチ１の連結部材５の係止材５ａが上側の木製ベンチ１の右方向への移動を防止する。
搬送する場合はこの状態で梱包する。
【００１７】
多くの木製ベンチ１を格納する場合は、図４および図５に示すように、一個の木製ベンチ１の上に、図３の状態にしたものを上に積み重ねる。
なお、上記実施の形態では、木製ベンチの具体的な寸法を表示して説明したが、より、内容が理解できるようにしたものであって、限定するものでないことは当然である。
【産業上の利用可能性】
【００１８】
なお、本考案の木製ベンチは、複数人が並んで使用する木製のテーブルや、生け花や壷などの工芸品を載置するための台（テーブル）としても使用することができる。
【図面の簡単な説明】
【００１９】
【図１】本考案の木製ベンチの実施の形態を示す斜視図である。
【図２】同、（ａ）は裏返しにした状態を示す斜視図で、（ｂ）は脚部の詳細である。
【図３】同、２個の木製ベンチを組み合わせた状態を示す斜視図である。
【図４】同、多数の木製ベンチを積み重ねた状態を示す正面図である。
【図５】同、側面図である。
【図６】同、脚の嵌合溝上部の切抜部の例を示す正面図である。
【符号の説明】
【００２０】
１  木製ベンチ
２  シート
３  脚
３ａ  嵌合溝
３ｂ  切抜部
４  端継材
５  連結部材
５ａ  係止材
５ｂ  把持孔
６  アジャスタ
【図１】
0003128935.tif 000003
【図２】
0003128935.tif 000004
【図３】
0003128935.tif 000005
【図４】
0003128935.tif 000006
【図５】
0003128935.tif 000007
【図６】
0003128935.tif 000008